(57)【要約】      （修正有）【課題】手の状態や形状、体の姿勢等に係わらず、少ない握力でを持つことを可能にする手鏡の提供。【解決手段】手鏡本体３に、伸縮性のある筒状体等の保持具１を装着し、１を手等に通したり巻いたり挟むことで、手鏡本体３を手又は手の親指を除く四指の掌の基端部辺り又は指等に装着及び固定できるようにする。従って、手の状態や形状、体の姿勢等に係わらず、手鏡を手等に固定でき、楽に手鏡を持つことを可能にし、上述の問題を解決して福祉や生活利便の向上に役に立つ。【選択図】図１
0003117881.tif 000002
【実用新案登録請求の範囲】
【請求項１】
ガラスやアクリルミラー等適宜素材で作った鏡面を、プラスチック、木材等適宜素材で作った支持体に装着した、四角形や円形等適宜形状につくった手鏡本体３に、伸縮性のある筒状体の保持具、又はプラスチックや金属、布等適宜素材でつくったリング型や略リング型等適宜形状の帯状体等、又は面ファスナーを装着した布等適宜素材でつくった帯状体等の保持具１を装着し、１を手等に巻いたり通したり挟む等することで、手鏡本体３を手又は手の親指を除く四指の掌の基端部辺り又は指等に、装着及び固定できるようにした、手等に固定できる手鏡。
【請求項２】
請求項１の手鏡本体３の支持体と、保持具１を、プラスチックや金属等適宜な同じ素材でつくり、３と１を一体化した、請求項１の手等に固定できる手鏡。
【請求項３】
請求項１の保持具１を、薄いバネ鋼板等適宜素材を略リング状にした可撓板８、又は、バネ鋼板等の適宜素材で作り、摺動自在に重なり合う態様で巻がれている形状の可撓板８でつくり、バネの力で手等を挟むことで装着及び固定できる、請求項１、請求項２の手等に固定できる手鏡。
【請求項４】
請求項１の保持具１を、針金等適宜素材でつくり、折りたためるように分割した略リング１１に形成し、内側又は外側に折りたためるように、バネ式蝶番１３等で固定し、バネの力で手等を挟むことで装着及び固定できる、請求項１、請求項２の手等に固定できる手鏡。
【考案の詳細な説明】
【技術分野】
【０００１】  本考案は、手等に固定できる手鏡である。つまり、手鏡に、伸縮性のある筒状体の保持具、又はリング型や略リング型等適宜形状の帯状体等、又は面ファスナーを装着した帯状体等の保持具１を装着することで、手等に手鏡を装着でき、特に手の状態や形状、体の姿勢に係わらず、少ない握力で、楽に使用することを可能にする手鏡である。
【背景技術】
【０００２】  特に、ベッド等に横になったまま、手鏡を見る際、従来の手鏡は持ちにくく、不便であった。また、様々な手の状態や形状や体の姿勢等に係わらず、楽に持つことのできる手鏡はなかった。
【考案の開示】
【考案が解決しようとする課題】
【０００３】  特に、ベッド等に横になったままの状態や、様々な姿勢で、様々な手の状態や形状に係わらず使用できる手鏡が必要であった。従って、手鏡に、手等に装着する為の伸縮性のある筒状体の保持具、又はリング型や略リング型等適宜形状の帯状体等、又は面ファスナーを装着した帯状体等の保持具１を装着することにより、手等に手鏡を装着及び固定させることができ、少ない握力で手鏡を持つことができ、前述の欠点を解決するものである。
【課題を解決するための手段】
【０００４】  本考案は、手鏡本体３に伸縮性のある筒状体の保持具、又はリング型や略リング型等適宜形状の帯状体等、又は面ファスナーを装着した帯状体等の保持具１を装着し、１を手等に通したり巻いたり挟む等して固定することで、手鏡本体３を手又は手の親指を除く四指の掌の基端部辺り又は指等に装着及び固定する。従って、手の状態や形状や体の姿勢等に係わらず、手鏡を手に装着することを可能にし、少ない握力で手鏡を持つことができ、従来特に握力や腕力の弱った方が手鏡を持ちにくかった欠点を解決している。
【考案の効果】
【０００５】  上述の様に、本考案の手等に固定できる手鏡は、手に装着する為の伸縮性のある筒状体の保持具、又はリング型や略リング型等適宜形状の帯状体等、又は面ファスナーを装着した帯状体等の保持具１を手鏡に装着することで、少ない握力で手鏡を持つことを可能にする。特に、病気等で筋力の衰えた方や、従来の手鏡を持ちにくかった方が、手の状態や形状、体の姿勢等に係わらずに楽に手鏡を持つことを可能にし、福祉や生活利便の向上に役立つことができる。
【考案を実施するための最良の形態】
【０００６】  手鏡本体３は、ガラスやアクリルミラー等適宜素材で作った鏡面を、プラスチック、木材等適宜素材で作った支持体に装着した、四角形や円形等適宜形状の手鏡である。手鏡本体３に伸縮性のある筒状体の保持具、又はリング型や略リング型等適宜形状の帯状体等、又は面ファスナーを装着した帯状体等の保持具１を装着し、１を手等に通したり巻く等して固定することで、手鏡本体３を手又は手の親指を除く四指の掌の基端部辺り又は指等に装着できるようにする。従って、保持具１は、手等に通したり、巻いたり、挟む等することで固定できるものである。尚、保持具１は、バネ鋼板等適宜素材を略リング状にした可撓板８や針金等適宜素材でつくった折りたたみ式の略リング１１等、適宜な形状の保持具で代用することが可能である。又、手鏡本体３に、蓋はなくてもよい。
【実施例】
【０００７】  以下、本考案を限定することを目的としない、本考案の実施例を図面に従い説明する。
実施例１  以下、添付図面１、２に従い実施例１を説明する。本実施例は、保持具１が、伸縮性のある筒状体の保持具の場合である。まず、手鏡本体３の背面に、伸縮性のある布等適宜素材で形成した筒状体の保持具１を装着し、１に手の親指を除く四指を通すこと等で、手鏡本体３を手等に装着できるようにする。
蓋は必ずしも必要ではなく、蓋の代わりに、不繊布等で作成したカバーに入れて収納することも可能である。【０００８】  実施例２  以下、添付図面３に従い実施例２を説明する。本実施例は、保持具１が、面ファスナーを装着した帯状体等の場合である。まず、手鏡本体３に面ファスナーを装着した帯状体等１を装着し、１を手等に巻いて止めることで、手鏡本体３を手等に装着できるようにする。【０００９】  実施例３  以下、添付図面４に従い実施例３を説明する。本実施例は、保持具１が、プラスチックや金属等適宜素材でつくった略リングの場合、又はバネ鋼板等適宜素材を略リング状にした可撓板８の場合である。前述の場合、実施例１の本手等に固定できる手鏡の保持具１を、プラスチックや金属等適宜素材で略リング状に形成し、手鏡本体３に連結する。尚、１をプラスチックや金属等適宜素材で形成する場合で、手鏡本体３の支持体を同じ素材で形成する場合等は、１と３を一体化して形成することも可能である。【００１０】  後述の場合、保持具１を、薄いバネ鋼板等の適宜素材で作り、略リング状の可撓板８に形成し、手鏡本体３の背面に装着する（図４）。８は、バネの力で手等を挟むことで固定でき、外側に布等を巻いて保護する。又、８はバネ鋼板等の適宜素材で作り、摺動自在に重なり合う態様で巻かれている形状の可撓板でもよい。【００１１】  実施例４  以下、添付図面５に従い実施例４を説明する。本実施例は、保持具１が、針金等適宜素材でつくった折りたたみ式の略リング型リング１１の場合である。実施例１の本等に固定できる手鏡の保持具１を、針金等適宜素材でつくり、折りたためるように分割した略リング１１に形成し、内側又は外側に折りたためるように、バネ式蝶番１３等で手鏡本体３の背面に固定し、バネの力で手等を挟むことで装着及び固定できるようにする（図５）。【００１２】  本考案の一実施例は上述の如き構成からなるものであるから、手鏡を手等に装着して使用する為、少ない握力で、手の状態や形状、体の姿勢等に係わらずに楽に持てる手鏡を可能にした。
【図面の簡単な説明】
【００１３】
【図１】手等に固定できる手鏡の実施例１の使用例の斜視図
【図２】手等に固定できる手鏡の実施例１の斜視図
【図３】手等に固定できる手鏡の実施例２の斜視図
【図４】手等に固定できる手鏡の実施例３の斜視図
【図５】手等に固定できる手鏡の実施例４の斜視図
【符号の説明】
【００１４】  １  保持具
３  手鏡本体
７  蝶番
８  略リング状の可撓板等
１１  折りたたみ式の略リング
１３  バネ式の蝶番
【図１】
0003117881.tif 000003
【図２】
0003117881.tif 000004
【図３】
0003117881.tif 000005
【図４】
0003117881.tif 000006
【図５】
0003117881.tif 000007